(57)【要約】【課題】金融取引口座と確認用の印鑑とを２つのシステムで管理する際に、両システムで印鑑の登録状態を連携させる。【解決手段】勘定系ホスト１は、口座開設操作により、口座情報を登録し、印鑑の登録状態を示す印鑑処理ステータス「登録待ち」を含む口座情報を印鑑サーバ２に通知する。印鑑サーバ２は、この口座情報をもとに印鑑情報を作成して管理する。その後、印鑑サーバ２は、開設口座の印鑑登録操作により、印鑑イメージを登録し、印鑑処理ステータスを「登録済み」に変更し、この印鑑情報を勘定系ホスト１へ通知する。勘定系ホスト１は、この印鑑状態をもとに該当する口座情報の印鑑処理ステータスを変更する。【選択図】          図１
2004302794.tif 000002
【特許請求の範囲】
【請求項１】
金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理方法であって、
前記勘定系システムにおいて、
前記口座情報のうち印鑑に関する情報が更新された場合に、前記口座情報に前記印鑑の登録状態を示す印鑑処理ステータスを設定し、
前記印鑑処理ステータスを前記印鑑管理システムに通知し、
前記印鑑管理システムにおいて、
前記勘定系システムから通知された前記印鑑処理ステータスをもとに該当する印鑑情報の印鑑処理ステータスを設定し、
印鑑情報のうち印鑑の印影イメージが更新された場合に、前記印鑑情報の印鑑処理ステータスを更新し、
前記印鑑処理ステータスを前記勘定系システムに通知し、
前記勘定系システムにおいて、
前記印鑑管理システムから通知された前記印鑑処理ステータスをもとに該当する口座情報の印鑑処理ステータスを更新する
ことを特徴とする印鑑管理処理方法。
【請求項２】
金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理を、前記勘定系システムのコンピュータに実行させるためのプログラムであって、
前記口座情報のうち印鑑に関する情報が更新された場合に、前記口座情報に前記印鑑の登録状態を示す印鑑処理ステータスを設定する処理と、
設定された前記印鑑処理ステータスを前記印鑑管理システムに通知する処理と、
前記印鑑管理システムから通知された印鑑処理ステータスをもとに該当する口座情報の印鑑処理ステータスを更新する処理とを、
前記勘定系システムのコンピュータに実行させるための
勘定系システム用印鑑管理プログラム。
【請求項３】
金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理を、前記印鑑管理システムのコンピュータに実行させるためのプログラムであって、
前記勘定系システムから通知された印鑑の登録状態を示す印鑑処理ステータスをもとに、該当する印鑑情報の印鑑処理ステータスを設定する処理と、
印鑑情報のうち印鑑の印影イメージが更新された場合に、前記印鑑情報の印鑑処理ステータスを更新する処理と、
更新された前記印鑑処理ステータスを前記勘定系システムに通知する処理とを、
前記印鑑管理システムのコンピュータに実行させるための
印鑑管理システム用印鑑管理プログラム。
【発明の詳細な説明】
【０００１】
【発明の属する技術分野】
本発明は、金融取引口座の管理業務に伴う印鑑管理業務支援技術に関する。
【０００２】
特に、本発明は、金融取引に用いる口座情報を口座元帳により管理する勘定系システムならびに口座確認手段として登録される印鑑（イメージデータ）に関する印鑑情報を管理する印鑑管理システムの２つの独立したシステムを用いて口座を管理する場合に、いずれか一方のシステムにおいて口座確認用の印鑑の登録状態が変更されたときに、勘定系システムおよび印鑑管理システムとの間で印鑑の登録状態に関する情報を連携させて印鑑を管理する処理方法に関する。
【０００３】
また、本発明は、前記処理方法を勘定系システムのコンピュータおよび印鑑管理システムのコンピュータに実行させるためのプログラムに関する。
【０００４】
【従来の技術】
金融機関では、一般的に、取引口座に関する情報は、口座元帳を用いて一元的に管理する勘定系ホストおよびその端末である勘定処理装置からなる「勘定系システム」（メインフレーム）により管理されている。
【０００５】
また、近年、口座開設時や改印時に届け出られる口座確認用の印鑑に関する印鑑情報は、印影をイメージデータ化して記憶し管理する印鑑データベース（印鑑サーバ）とそのクライアントである印鑑表示装置、印鑑登録装置からなる「印鑑管理システム」（サブシステム）により管理されている。
【０００６】
口座情報の追加・変更・削除等の処理に伴って、口座確認用の印鑑のイメージデータを含む印鑑情報の登録・変更・削除等が必要となる場合がある。口座元帳により管理されている口座情報の更新処理（追加・変更・削除等）は、勘定系システムのコンピュータ（勘定系ホスト）で実行され、一方、印鑑情報の更新処理（登録・変更・削除等）は、印鑑管理システムのコンピュータ（印鑑サーバ）で実行される。
【０００７】
勘定系システムと印鑑管理システムとは、いずれも独立したものであるため、処理終了後には口座情報と印鑑情報との整合性を確認する必要があった。従来、口座情報と印鑑情報との整合性は、担当者が、いずれかの処理終了後に両システムのデータをチェックして整合性を記録しておくという行為によって管理されていた。また、従来の整合性の確認・記録行為は、煩雑な手作業により行われている。
【０００８】
そのため、勘定系システムの端末からの依頼による口座情報の変更にともなう印鑑情報の変更作業を、担当者が忘れて怠ってしまうという「忘却リスク」や、勘定系システムおよび印鑑管理システムそれそれでの処理作業の時間差に起因する「タイムラグリスク」が生じていた。
【０００９】
口座情報と印鑑情報との整合性確認処理において、特に忘却リスクを軽減するために、予め識別情報を付与した印鑑票により印鑑イメージの登録を行い、登録処理後に顧客の詳細情報と登録した印鑑イメージの識別情報とを比較して登録過不足のチェックを行う手法がある（特許文献１参照）。
【００１０】
【特許文献１】
特開平１０−４９６６０号公報
【００１１】
【発明が解決しようとする課題】
このような従来の整合性確認作業により生じうる忘却リスクおよびタイムラグリスクのうち、近年、タイムラグリスクが大きな問題となっている。
【００１２】
すなわち、勘定系システムにおいて口座情報の追加・変更・削除等の処理はリアルタイムで行われるが、印鑑管理システムにおいて印鑑情報の登録・変更・削除等の処理は営業終了後に行われる。
【００１３】
勘定系ホストの口座情報と印鑑サーバの印鑑情報との整合性をとるために、相互に何らかの通信をするような手段を構成したとしても、勘定系システムは、営業時間中（日中）に常に稼動していて負荷が高い状態であるために、通常では営業時間外などの夜間に通信が行なわれるように運用する。したがって、口座情報と印鑑情報との整合性をとる処理をリアルタイムで行うことは非常に困難である。
【００１４】
また、近年では、盗難された通帳に添付された副印鑑票（印影）から印を偽造して不正に預金を引き出すという犯罪が多発しており、このような犯罪を防止するために、副印鑑票を添付しないで通帳を発行する場合がある。したがって、副印鑑票不添付の通帳と印鑑とにより口座取引を受け付ける場合に、口座情報と印鑑情報との処理の時間差によっては、以下のような問題が生じてしまう。
【００１５】
顧客が、ある支店Ａで改印届けを提出して口座確認用の印鑑を変更したとする。支店Ａでは、改印届けにより、勘定系システムで管理されている顧客の口座情報を変更する。しかし、印鑑管理システムの処理は、一般的に営業時間の終了後に一括して処理されるため、印鑑管理システムでは、未だ新印の印鑑（改印された印影）への更新処理がされずに旧印の印鑑（改印前の印影）が登録されたままの状態となっている。
【００１６】
その後、他の支店Ｂにおいて、その顧客が悪意をもって変更前の旧印により口座預金の引出し依頼を行うとする。支店Ｂでは、印鑑管理システムを利用して口座確認用の印鑑を検索・照合するが、未更新のままで登録されている旧印の印影を照合して預金引出し依頼を承認して依頼金額を顧客に支払うことになる。すると、悪意を持つ顧客は、改印届け出後にもかかわらず旧印で預金引出しができたことを問題にして不正なクレームを行うが、金融機関は、このような不正なクレームに対向することが困難になってしまう。
【００１７】
本発明は、従来のような口座情報および印鑑情報の整合性の確認処理により生じうる上記の問題に鑑みてなされたものであり、例えば、勘定系システムの端末（勘定処理装置）からの依頼により勘定系ホストで管理される口座情報の中の印鑑に関する情報が更新された場合にも、勘定系システムと口座確認用印鑑を管理する印鑑管理システムとの間で、印鑑の登録状態を連携させて印鑑を管理して、口座情報と印鑑情報とが別個に処理されることにより生じる忘却リスクおよびタイムラグリスクを軽減しつつ、両情報の整合性をとることができる処理方法を提供することを目的とする。
【００１８】
また、本発明は、上記の処理方法を、勘定系システムのコンピュータ（勘定系ホスト）および印鑑管理システムのコンピュータ（印鑑サーバ）に実行させるためのプログラムを提供することを目的とする。
【００１９】
【課題を解決するための手段】
本発明は、金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理方法であって、以下の処理を行う。
【００２０】
すなわち、本発明では、前記勘定系システムにおいて、前記口座情報のうち印鑑に関する情報が更新された場合に、前記口座情報に前記印鑑の登録状態を示す印鑑処理ステータスを設定し、前記印鑑処理ステータスを前記印鑑管理システムに通知する。ここで、印鑑処理ステータスは、印鑑管理システムでの印鑑の登録状態を示す情報であって、例えば、登録待ち、改印待ち、解約待ち、登録済み、および解約済みなどである。
【００２１】
次に、前記印鑑管理システムにおいて、前記勘定系システムから通知された前記印鑑処理ステータスをもとに該当する印鑑情報の印鑑処理ステータスを設定し、印鑑情報のうち印鑑の印影イメージが更新された場合に、前記印鑑情報の印鑑処理ステータスを更新し、前記印鑑処理ステータスを前記勘定系システムに通知する。
【００２２】
そして、前記勘定系システムにおいて、前記印鑑管理システムから通知された前記印鑑処理ステータスをもとに該当する口座情報の印鑑処理ステータスを更新する。
【００２３】
また、本発明は、前記勘定系システムのコンピュータに実行させるためのプログラムであって、前記口座情報のうち印鑑に関する情報が更新された場合に、前記口座情報に前記印鑑の登録状態を示す印鑑処理ステータスを設定する処理と、設定された前記印鑑処理ステータスを前記印鑑管理システムに通知する処理と、前記印鑑管理システムから通知された印鑑処理ステータスをもとに該当する口座情報の印鑑処理ステータスを更新する処理とを、含むものである。
【００２４】
また、本発明は、前記印鑑管理システムのコンピュータに実行させるためのプログラムであって、前記勘定系システムから通知された印鑑の登録状態を示す印鑑処理ステータスをもとに、該当する印鑑情報の印鑑処理ステータスを設定する処理と、印鑑情報のうち印鑑の印影イメージが更新された場合に、前記印鑑情報の印鑑処理ステータスを更新する処理と、更新された前記印鑑処理ステータスを前記勘定系システムに通知する処理とを、含むものである。
【００２５】
図１は、本発明の動作原理を説明するための図である。
【００２６】
勘定系ホスト１は、金融機関において、取引口座に関する口座情報を口座元帳により管理する勘定系システムのホストコンピュータである。勘定処理装置３は、種々の勘定処理を実施するための勘定系ホスト１の端末である。
【００２７】
印鑑サーバ２は、口座確認用印鑑について印鑑イメージ（印影）を含む印鑑情報を印鑑データベースを用いて管理する印鑑管理システムのサーバコンピュータである。印鑑表示装置４は、印鑑サーバ２が管理する印鑑情報が表示されるクライアント端末である。印鑑登録装置５は、口座確認用の印鑑イメージ（印影）を読み取り、印鑑サーバ２へ印鑑のイメージデータを含む印鑑情報を登録するクライアント端末である。
【００２８】
勘定系ホスト１は、支店Ａの勘定処理装置３ａから新規の口座開設操作を受け付けると、「口座番号（図１では「口座」）：１２３４５６７」等の必要な口座情報を口座元帳に設定する。
【００２９】
さらに、口座情報に含まれる印鑑の登録状態を示す印鑑処理ステータスに「印鑑処理ステータス（図１では「印鑑」）：登録待ち」を設定する。「登録待ち」は、口座開設時に届けられた口座確認用の印鑑のイメージデータが、印鑑管理システムで未登録状態であって、処理待機中であることを示すステータスの値である。
【００３０】
そして、口座元帳に登録した口座情報の一部であるデータ「口座：１２３４５６７，印鑑：登録待ち」および印鑑データベースの更新処理依頼を、ネットワークを介して印鑑サーバ２へ直ちに通知する。
【００３１】
印鑑サーバ２は、勘定系ホスト１からの通知を受信し、受信したデータをもとに印鑑データベースに、印鑑情報「口座：１２３４５６７，印鑑：登録待ち」を追加する。そして、印鑑登録装置５で印鑑のイメージデータ登録処理が実行されていないので、印鑑情報として、さらに「印鑑イメージ（図１では「イメージ」）：なし」を設定する。これにより、ある顧客の口座が開設された場合に、勘定系ホスト１と印鑑サーバ２とが連携して、口座情報および印鑑情報の双方において、印鑑の登録状態が「登録待ち」となることが実現される。
【００３２】
この状態において、他の支店Ｂの勘定処理装置３ｂから、口座（口座：１２３４５６７）の口座照会があると、勘定系ホスト１は、口座情報「口座：１２３４５６７，印鑑：登録待ち」を勘定処理装置３ｂに返却する。よって、他の支店Ｂでは、この口座の印鑑が未登録の状態であり、印鑑による取引は受け付けられないことが分かる。
【００３３】
また、印鑑表示装置４から、口座（口座：１２３４５６７）の印鑑検索があると、印鑑サーバ２は、印鑑情報「口座：１２３４５６７，印鑑：登録待ち」を印鑑表示装置４へ返却する。これにより、印鑑表示装置４でも、この口座の印鑑が未登録であることが分かる。
【００３４】
その後、支店Ａの印鑑登録装置５から、口座（口座：１２３４５６７）の確認用の印鑑登録があると、印鑑サーバ２は、印鑑登録装置５のイメージリーダで読み込まれた印鑑のイメージデータ等を受信して、印鑑データベースの該当する印鑑情報にイメージデータを登録し、「印鑑イメージ（イメージ）：あり」に変更する。これにより、印鑑情報「口座：１２３４５６７，印鑑：登録済み，イメージ：あり」と更新される。
【００３５】
さらに、印鑑サーバ２は、更新した印鑑情報「口座：１２３４５６７，印鑑：登録済み，イメージ：あり」および口座元帳の更新処理依頼を、ネットワークを介して勘定系ホスト１へ直ちに通知する。そして、通知を受けた勘定系ホスト１は、該当する口座情報を「印鑑：登録済み」に変更する。
【００３６】
以降、他の支店Ｂの勘定処理装置３ｂから、口座（口座：１２３４５６７）の口座照会があると、勘定系ホスト１は、口座情報「口座：１２３４５６７，印鑑：登録済み」を返却する。よって、他の支店Ｂでは、この口座の印鑑が登録処理され、印鑑による取引が受け付け可能であることが分かる。
【００３７】
また、印鑑表示装置４から、口座（口座：１２３４５６７）の印鑑検索があると、印鑑サーバ２は、印鑑情報「口座：１２３４５６７」と印鑑のイメージデータとを返却し表示させる。これにより、この口座の確認用の印鑑のイメージデータ（印影）を確認することができ、印鑑による取引の受け付けを続行することができる。
【００３８】
このように、勘定系システムの勘定系ホスト１において口座情報のうち印鑑に関する情報が変更された場合に、印鑑の登録状態を示す印鑑処理ステータスが印鑑サーバ２へ直ちに通知され、反対に、印鑑管理システムの印鑑サーバ２で印鑑情報が変更されると、その印鑑処理ステータスが勘定系ホスト１へ直ちに通知される。これにより、勘定系ホスト１と印鑑サーバ２との連携が可能になり、両システムでの処理実行の時間差による「タイムラグリスク」を軽減することができる。
【００３９】
また、印鑑サーバ２の印鑑データベースから、印鑑がある処理を待機中であることを示すステータスデータが設定された印鑑情報を持つ印鑑情報を検索・抽出する。これにより、処理が完了していない口座の一覧等を表示または出力できるため、未処理の口座を迅速かつ簡易に確認することができ、担当者の失念などにより処理されるべき口座が未処理のままとなってしまうという「忘却リスク」を軽減することができる。
【００４０】
なお、本発明の各処理を実現する手段、機能または要素は、コンピュータにより読み取られ実行されるプログラムとして実現することができる。本発明を実現するプログラムは、コンピュータが読み取り可能な、可搬媒体メモリ、半導体メモリ、ハードディスクなどの適当な記録媒体に格納することができ、これらの記録媒体に記録して提供され、または、通信インタフェースを介して種々の通信網を利用した送受信により提供されるものである。
【００４１】
【発明の実施の形態】
図２に、本発明の実施の一形態において、本発明を実現するシステムの構成例を示す。本形態において、本発明は、勘定系ホスト（コンピュータ）１ならびに勘定処理装置（営業店端末）３で構成される勘定系システム、および印鑑サーバ（コンピュータ）２、印鑑表示装置４、ならびに印鑑登録装置５で構成される印鑑管理システムにより実施される。
【００４２】
勘定系ホスト１は、口座元帳１１、口座元帳管理プログラム１２、印鑑サーバ連携プログラム１３、および通信プログラム１５を備える。印鑑サーバ２は、印鑑データベース２１、印鑑データベース管理プログラム２２、ホスト連携プログラム２３、および通信プログラム２５を備える。
【００４３】
口座元帳１１および印鑑データベース２１は、外部記憶装置等で実現されるデータ記憶手段である。口座元帳管理プログラム１２、印鑑サーバ連携プログラム１３、通信プログラム１５、印鑑データベース管理プログラム２２、ホスト連携プログラム２３、および通信プログラム２５は、コンピュータが読み取りかつ実行可能なプログラムで実現される処理手段である。
【００４４】
口座元帳１１は、金融取引の口座に関する口座情報が格納される口座元帳レコード６１から構成される。
【００４５】
図３に、口座元帳レコード６１の例を示す。口座元帳レコード６１は、口座を開設した営業店を識別する店番、顧客識別情報である顧客の番号、氏名、住所、ならびに連絡先電話番号、開設された口座の種別を示す科目、口座識別情報である口座番号、および口座確認手段として登録された印鑑の登録状態を示す印鑑処理ステータスなどの項目からなる。
【００４６】
印鑑処理ステータスには、口座元帳管理プログラム１２で処理された処理種別もしくは印鑑サーバ２から通知された印鑑処理ステータスにもとづいて、「０１：登録待ち」、「０２：改印待ち」、「０３：解約待ち」、「０４：登録済み」、および「０５：解約済み」のいずれかの値が設定される。
【００４７】
登録待ち（０１）は、口座元帳１１への口座開設処理に伴い、印鑑サーバ２での印鑑登録処理を待機している状態を示す。改印待ち（０２）は、改印届けによる口座元帳１１の口座情報変更処理に伴い、印鑑サーバ２での印鑑イメージ変更処理を待機している状態を示す。解約待ち（０３）は、口座元帳１１の口座解約処理に伴い、印鑑サーバ２での印鑑解約処理を待機している状態を示す。登録済み（０４）は、印鑑サーバ２での印鑑登録処理または印鑑イメージ変更処理が完了している状態を示す。解約済み（０５）は、印鑑サーバ２での印鑑解約処理が完了している状態を示す。
【００４８】
口座元帳管理プログラム１２は、金融機関の営業所に設置された勘定処理装置３との間で種々の勘定処理が実行される場合に、実行された勘定処理にもとづいて、口座元帳１１の口座情報を追加・変更・削除する処理を行う手段である。
【００４９】
具体的には、勘定処理装置３から依頼された勘定処理によって口座情報のうち印鑑に関する情報が変更されたときに、口座情報の印鑑処理ステータスに所定のステータスデータを設定する。
【００５０】
印鑑サーバ連携プログラム１３は、口座元帳管理プログラム１２の処理において口座元帳１１の口座情報の印鑑処理ステータスが変更された場合に、口座元帳管理プログラム１２から受け取った口座情報および印鑑データベース２１の更新依頼をホスト連携プログラム２３に通知し、またはホスト連携プログラム２３からの印鑑処理ステータスおよび勘定系ホスト１の更新依頼をもとに口座元帳１１を更新する手段である。
【００５１】
具体的には、口座元帳管理プログラム１２から、印鑑処理ステータスを含む口座情報の一部または全部および印鑑データベース２１の更新依頼を受け取り、通信プログラム１５を介して受け取った口座情報および更新依頼をホスト連携プログラム２３に送信する。
【００５２】
また、ホスト連携プログラム２３から、印鑑データベース２１で変更された印鑑処理ステータスを含む印鑑情報および口座元帳１１の更新依頼を受信し、受信した印鑑情報をもとに口座元帳１１の該当する口座情報を更新する。
【００５３】
通信プログラム１５は、勘定系ホスト１と印鑑サーバ２との間でデータ通信を行う処理手段である。
【００５４】
印鑑データベース２１は、口座確認用の印鑑のイメージデータおよび印鑑に関する印鑑情報が格納される印鑑レコード６２から構成される。
【００５５】
図４に、印鑑レコード６２の例を示す。印鑑レコード６２は、店番、顧客の番号、口座の科目、口座番号、印鑑処理ステータス、印鑑イメージ、署名イメージなどの項目からなる。店番、顧客の番号、口座の科目、口座番号、および印鑑処理ステータスは、口座元帳１１の口座元帳レコード６１と同様のデータが格納される項目である。
【００５６】
印鑑処理ステータスには、印鑑データベース管理プログラム２２で処理された処理種別もしくは勘定系ホスト１から通知された印鑑処理ステータスにもとづいて、「０１：登録待ち」、「０２：改印待ち」、「０３：解約待ち」、「０４：登録済み」、および「０５：解約済み」のいずれかの値が設定される。なお、印鑑処理ステータスには、勘定系ホスト１および印鑑サーバ２で共通の値が使用される。
【００５７】
印鑑イメージは、印鑑登録装置５から送信された口座確認用印鑑のイメージデータ（印影）を格納する項目である。署名イメージは、印鑑登録装置５から送信された申込み書や届出書に記載された顧客の署名のイメージデータを格納する項目である。
【００５８】
印鑑データベース管理プログラム２２は、印鑑情報を記憶している印鑑データベース２１を管理する処理手段である。
【００５９】
具体的には、印鑑登録装置５からの印鑑登録依頼に応じて、イメージリーダ等で読み込まれた印鑑のイメージデータを含む印鑑情報を印鑑データベース２１に追加する。または、印鑑登録装置５からの改印依頼または印鑑解約依頼に応じて、印鑑データベース２１の印鑑情報を変更または削除する。
【００６０】
または、ホスト連携プログラム２３から印鑑処理ステータスを含む口座情報および印鑑データベース２１の更新依頼を受け付け、受け付けた口座情報をもとに印鑑データベース２１の印鑑情報を更新する。
【００６１】
ホスト連携プログラム２３は、印鑑サーバ連携プログラム１３から口座情報および印鑑データベース２１の更新依頼を受信し、受信した口座情報および更新依頼を印鑑データベース管理プログラム２２に渡し、または、印鑑データベース管理プログラム２２から更新された印鑑処理ステータスを含む印鑑情報および口座元帳１１の更新依頼を受け付け、受け付けた印鑑情報および更新依頼を印鑑サーバ連携プログラム１３に通知する処理手段である。
【００６２】
具体的には、通信プログラム２５を介して、印鑑サーバ連携プログラム１３から印鑑処理ステータスを含む口座情報および印鑑データベース２１の更新依頼を受信し、受信した口座情報にもとづく更新処理を印鑑データベース管理プログラム２２に依頼する。
【００６３】
また、印鑑データベース２１の印鑑処理ステータスが変更された場合に、変更された印鑑処理ステータスを含む印鑑情報の一部または全部および勘定系ホスト１の更新依頼を、通信プログラム２５を介して、印鑑サーバ連携プログラム１３に通知する。
【００６４】
通信プログラム２５は、印鑑サーバ２と勘定系ホスト１との間でデータ通信を行う処理手段である。
【００６５】
印鑑表示装置４は、印鑑データベース２１を検索して、検索結果として、印鑑のイメージデータ、印鑑情報等を表示する処理装置である。
【００６６】
印鑑登録装置５は、印鑑票に捺印された印鑑のイメージを読み込むイメージリーダを備え、読み込んだ印鑑のイメージデータおよび印鑑に関する情報を印鑑サーバ２へ登録する処理装置である。
【００６７】
以下、図２に示す矢印（ａ）〜（ｒ）を用いて、新規に口座を開設した場合における本発明の処理の流れの概要を説明する。
【００６８】
処理（ａ）〜（ｉ）は、勘定系ホスト１側で、口座開設に伴い口座元帳１１に口座元帳レコード６１が追加された場合の処理の流れを示す。処理（ｎ）〜（ｒ）は、処理（ａ）〜（ｉ）の終了後に、印鑑サーバ２側で、開設された口座の印鑑登録に伴い印鑑データベース２１の該当する印鑑レコード６２の印鑑処理ステータスに変更が生じた場合の処理の流れを示す。
【００６９】
また、処理（ｊ）、（ｋ）、（ｊ’）、（ｋ’）は、印鑑サーバ２に対して印鑑表示装置４から印鑑検索が行われた場合の処理の流れを示す。処理（ｌ）、（ｍ）、（ｌ’）、（ｍ’）は、勘定系ホスト１に対し勘定処理装置３から口座照会が行われた場合の処理の流れを示す。
【００７０】
（ａ）  勘定処理装置３は、勘定系ホスト１の口座元帳管理プログラム１２に対し口座開設処理を実施する。
【００７１】
（ｂ）  口座元帳管理プログラム１２は、受信した口座情報をもとに勘定系ホスト１に口座元帳レコード６１を追加して新規口座を開設する。また、追加した口座元帳レコード６１の印鑑処理ステータスに「登録待ち」を設定する。
【００７２】
（ｃ）  口座元帳管理プログラム１２は、口座元帳レコード６１から、口座番号（口座識別番号）、印鑑処理ステータスなどを抽出し、印鑑サーバ連携プログラム１３への処理依頼の種別を示す「依頼種別」に「開設」を設定する。そして、印鑑サーバ連携プログラム１３に対し、口座番号、印鑑処理ステータスおよび依頼種別「開設」を渡すとともに、連携処理（すなわち、印鑑データベース２１更新依頼の通知処理）を依頼する。
【００７３】
（ｄ）  印鑑サーバ連携プログラム１３は、口座元帳管理プログラム１２から受け取った口座番号、印鑑処理ステータス、依頼種別「開設」とともに印鑑データベース更新依頼を、ホスト連携プログラム２３へ送信する。
【００７４】
（ｅ）  ホスト連携プログラム２３は、印鑑サーバ連携プログラム１３から受信した口座番号、印鑑処理ステータス、および依頼種別「開設」を印鑑データベース管理プログラム２２に渡して、印鑑データベース２１の更新処理を依頼する。
【００７５】
（ｆ）  印鑑データベース管理プログラム２２は、依頼種別を判定し、受け取った口座番号、印鑑処理ステータスをもとに印鑑レコード６２を印鑑データベース２１に追加する。なお、印鑑レコード６２の印鑑処理ステータスには、口座元帳レコード６１の印鑑処理ステータスと同一のステータス「登録待ち」が設定されることになる。
【００７６】
（ｇ）  印鑑データベース管理プログラム２２は、印鑑データベース更新完了をホスト連携プログラム２３に通知する。
【００７７】
（ｈ）  ホスト連携プログラム２３は、印鑑サーバ連携プログラム１３へ印鑑データベース更新完了を送信する。
【００７８】
（ｉ）  一方、口座元帳管理プログラム１２は、実施した新規口座開設処理に対する応答を勘定処理装置３へ送信する。なお、処理（ｉ）は、処理（ｂ）の終了後に行っていてもよい。
【００７９】
（ｊ）  印鑑表示装置４は、印鑑サーバ２に対し印鑑検索を行う。
【００８０】
（ｋ）  印鑑サーバ２では、印鑑データベース管理プログラム２２を介して印鑑データベース２１を検索し、該当する印鑑レコード６２を取得し、この印鑑レコード６２の印鑑処理ステータスに「登録待ち」が設定されている場合、口座番号と共に「印鑑：登録待ち」を印鑑表示装置４に表示させる。これにより、印刷表示装置４のオペレータは、検索対象印鑑は未登録状態であることを確認できる。
【００８１】
（ｌ）  一方、勘定処理装置３は、勘定系ホスト１に対し口座照会を行う。
【００８２】
（ｍ）  勘定系ホスト１では、口座元帳管理プログラム１２を介して口座元帳１１を検索し、該当する口座元帳レコード６１を取得し、その口座元帳レコード６１の印鑑処理ステータスを含む所定の口座情報を勘定処理装置３へ返却する。これにより、勘定処理装置３のオペレータは、照会対象口座の印鑑は登録待ち状態であることを確認できる。
【００８３】
（ｎ）  印鑑登録装置５では、印鑑票の印鑑をイメージリーダで読み取り、口座番号等と共に読み取った印鑑のイメージデータを印鑑サーバ２へ送信し、印鑑登録を行う。
【００８４】
（ｏ）  印鑑データベース管理プログラム２２は、印鑑データベース２１から該当する印鑑レコード６２を取得し、その印鑑レコード６２の印鑑イメージに、受信した印鑑のイメージデータを登録し、印鑑処理ステータスを「登録済み」に変更する。
【００８５】
（ｐ）  さらに、印鑑データベース管理プログラム２２は、更新された印鑑レコード６２から口座番号、印鑑処理ステータス等を抽出し、口座番号、印鑑処理ステータス等とともにホスト連携プログラム２３へ、連携処理（口座元帳１１の更新依頼の通知処理）を依頼する。
【００８６】
（ｑ）  ホスト連携プログラム２３は、印鑑データベース管理プログラム２２から受け取った口座番号、印鑑情報等を印鑑サーバ連携プログラム１３へ送信する。
【００８７】
（ｒ）  印鑑サーバ連携プログラム１３は、受信した口座番号、印鑑情報をもとに、口座元帳１１から該当する口座元帳レコード６１を抽出し、その口座元帳レコード６１の印鑑処理ステータスを「登録済み」に変更する。
【００８８】
（ｊ’）  印鑑表示装置４が、印鑑サーバ２に対し印鑑検索を行う。
【００８９】
（ｋ’）  印鑑サーバ２では、印鑑データベース管理プログラム２２を介して印鑑データベース２１を検索し、該当する印鑑レコード６２を取得し、その印鑑レコード６２の印鑑処理ステータスが「登録済み」に更新されていれば、その印鑑レコード６２の口座番号、印鑑イメージのイメージデータを印鑑表示装置４に表示させる。これにより、印刷表示装置４のオペレータは、検索対象印鑑の登録完了、登録されている印鑑等を確認できる。
【００９０】
（ｌ’）  一方、勘定処理装置３が、勘定系ホスト１に対し口座照会を行う。
【００９１】
（ｍ’）  勘定系ホスト１では、口座元帳管理プログラム１２を介して口座元帳１１を検索して該当する口座元帳レコード６１を取得し、その口座元帳レコード６１の印鑑処理ステータスが含まれた所定の口座情報を勘定処理装置３へ返却する。これにより、勘定処理装置３のオペレータは、照会対象口座の印鑑の登録完了を確認できる。
【００９２】
なお、処理（ａ）で、勘定処理装置３が改印処理を実施した場合には、処理（ｂ）等において、印鑑処理ステータスに「改印待ち」が設定され、処理（ｃ）等の依頼種別に「改印」が設定され、ほぼ同様の処理が行われる。
【００９３】
また、処理（ａ）で、勘定処理装置３が口座解約処理を実施した場合には、処理（ｂ）等において、印鑑処理ステータスに「解約待ち」が設定され、処理（ｃ）等の依頼種別に「解約」が設定され、ほぼ同様の処理が行われる。この場合には、処理（ｏ）および処理（ｒ）において、印鑑処理ステータスに「解約済み」が設定される。
【００９４】
以下に、本発明を構成する各処理プログラムで実行する処理の例を示す。
【００９５】
図５に、口座元帳管理プログラム１２の処理例を示す。
【００９６】
口座元帳管理プログラム１２は、勘定処理装置（端末）３からデータを受信する（ステップＳ１０１）。
【００９７】
次に、受信したデータに含まれる処理依頼種別を判定する（ステップＳ１０２）。
【００９８】
処理依頼種別が口座の「解約」であれば、該当する口座元帳レコード６１を解約状態にする口座解約処理を行う（ステップＳ１０３）。
【００９９】
そして、印鑑サーバ２との連携処理（印鑑データベース２１の更新依頼の通知）を印鑑サーバ連携プログラム１３に依頼するために、依頼種別に「解約待ち」を設定する（ステップＳ１０４）。
【０１００】
また、処理依頼種別が口座確認用の印鑑の「改印」であれば、該当する口座元帳レコード６１の口座情報を変更する口座情報変更処理を行う（ステップＳ１０５）。
【０１０１】
続いて、印鑑サーバ２との連携処理を依頼するために、依頼種別に「改印待ち」を設定する（ステップＳ１０６）。
【０１０２】
また、処理依頼種別が口座の「開設」であれば、受信したデータをもとに口座元帳レコード６１を作成して口座元帳に追加する口座開設処理を行う（ステップＳ１０７）。
【０１０３】
続いて、印鑑サーバ２との連携処理を依頼するために、依頼種別に「登録待ち」を設定する（ステップＳ１０８）。
【０１０４】
そして、印鑑サーバ連携プログラム１３に、口座元帳レコード６１の一部の口座情報（口座番号など）および依頼種別を渡して、非同期で連携処理を依頼する（ステップＳ１０９）。
【０１０５】
また、印鑑サーバ連携プログラム１３から依頼した連携処理の完了を受信する（ステップＳ１１０）。
【０１０６】
また、勘定処理装置（端末）３へ勘定処理の応答を送信する（ステップＳ１１１）。
【０１０７】
図６に、印鑑サーバ連携プログラム１３の処理例を示す。
【０１０８】
印鑑サーバ連携プログラム１３は、口座元帳管理プログラム１２から、口座情報および依頼種別とともに連携処理依頼を受信する（ステップＳ２０１）。
【０１０９】
そして、口座元帳管理プログラム１２へ、連携処理依頼を正常受信した旨を送信する（ステップＳ２０２）。
【０１１０】
次に、受信した依頼種別を判別する（ステップＳ２０３）。
【０１１１】
そして、依頼種別が「解約」であれば、ホスト連携プログラム２３へ印鑑データベース更新依頼と共に送信する印鑑処理ステータスに「解約待ち」を設定する（ステップＳ２０４）。
【０１１２】
また、依頼種別が「改印」であれば、同様に送信する印鑑処理ステータスに「改印待ち」を設定する（ステップＳ２０５）。
【０１１３】
また、依頼種別が「開設」であれば、同様に送信する印鑑処理ステータスに「登録待ち」を設定する（ステップＳ２０６）。
【０１１４】
そして、ホスト連携プログラム２３へ、依頼種別、口座番号、印鑑処理ステータスなどと共にデータベース更新依頼を非同期で送信する（ステップＳ２０７）。
【０１１５】
また、ホスト連携プログラム２３から、依頼したデータベース更新処理の完了を受信する（ステップＳ２０８）。
【０１１６】
図７に、ホスト連携プログラム２３の処理例を示す。
【０１１７】
ホスト連携プログラム２３は、印鑑サーバ連携プログラム１３から、依頼種別、口座番号、印鑑処理ステータスと共に印鑑データベース更新依頼を受信する（ステップＳ３０１）。
【０１１８】
そして、印鑑サーバ連携プログラム１３へ処理依頼を正常受信した旨を送信する（ステップＳ３０２）。
【０１１９】
次に、受信した依頼種別を判別する（ステップＳ３０３）。
【０１２０】
依頼種別が「解約」であれば、印鑑データベース管理プログラム２２に対し、印鑑データベース２１の該当する印鑑レコード６２の印鑑処理ステータスを「解約待ち」に変更する処理を依頼する（ステップＳ３０４）。
【０１２１】
また、依頼種別が「改印」であれば、印鑑データベース管理プログラム２２に対し、印鑑データベース２１の該当する印鑑レコード６２の印鑑処理ステータスを「改印待ち」に変更する処理を依頼する（ステップＳ３０５）。
【０１２２】
また、依頼種別が「開設」であれば、印鑑データベース管理プログラム２２に対し、印鑑処理ステータスが「登録待ち」である印鑑レコード６２を作成し、印鑑データベース２１に追加する処理を依頼する（ステップＳ３０６）。
【０１２３】
また、印鑑データベース２１の印鑑情報が更新された場合に、印鑑データベース管理プログラム２２から口座元帳更新依頼を受信すると、印鑑サーバ連携プログラム１３へ口座元帳更新依頼を同期で送信する（ステップＳ３０７）。
【０１２４】
また、印鑑サーバ連携プログラム１３から、依頼した連携処理の応答を受信する（ステップＳ３０８）。
【０１２５】
図８に、印鑑データベース管理プログラム２２の処理例（その１）を示す。本例は、勘定系ホスト１の印鑑サーバ連携プログラム１３からの処理依頼により、印鑑データベース２１の更新処理を行う場合の処理例である。
【０１２６】
印鑑データベース管理プログラム２２は、ホスト連携プログラム２３から、依頼種別、口座番号、印鑑処理ステータスとともに印鑑データベース更新依頼を受信する（ステップＳ４０１）。
【０１２７】
次に、受信した依頼種別を判定する（ステップＳ４０２）。
【０１２８】
依頼種別が「解約」であれば、口座番号をキーに印鑑データベース２１の印鑑情報を検索し（ステップＳ４０３）、該当する印鑑レコード６２の印鑑処理ステータスを「解約待ち」に更新する（ステップＳ４０４）。
【０１２９】
また、依頼種別が「改印」であれば、口座番号をキーに印鑑データベース２１の印鑑情報を検索し（ステップＳ４０５）、該当する印鑑レコード６２の印鑑処理ステータスを「改印待ち」に更新する（ステップＳ４０６）。
【０１３０】
また、依頼種別が「開設」であれば、受信した口座情報をもとに印鑑レコード６２を作成し（ステップＳ４０７）、印鑑処理ステータスに「登録待ち」を設定する（ステップＳ４０８）。
【０１３１】
また、依頼された更新処理終了後に、更新処理の応答をホスト連携プログラム２３へ送信する（ステップＳ４０９）。
【０１３２】
図９に、印鑑データベース管理プログラム２２の処理例（その２）を示す。本例は、印鑑登録装置５からの処理依頼により、印鑑データベース２１の更新処理を行う場合の処理例である。
【０１３３】
印鑑データベース管理プログラム２２は、印鑑登録装置５から、処理依頼種別、口座番号、印鑑イメージ等と共にデータベース更新依頼を受信する（ステップＳ５０１）。
【０１３４】
受信した処理依頼種別を判定する（ステップＳ５０２）。処理依頼種別が「解約」であれば、口座番号などをキーに印鑑データベース２１の印鑑情報を検索し（ステップＳ５０３）、抽出した印鑑レコード６２の印鑑処理ステータスを「解約済み」に変更する（ステップＳ５０４）。
【０１３５】
また、処理依頼種別が「改印」であれば、口座番号などをキーに印鑑データベース２１の印鑑情報を検索し（ステップＳ５０５）、抽出した印鑑レコード６２の印鑑イメージを更新し（ステップＳ５０６）、さらに印鑑処理ステータスを「登録済み」に変更する（ステップＳ５０７）。
【０１３６】
また、処理依頼種別が「開設」であれば、口座番号などをキーに印鑑データベース２１の印鑑情報を検索し（ステップＳ５０８）、抽出した印鑑レコード６２に印鑑イメージを登録し（ステップＳ５０９）、印鑑処理ステータスを「登録済み」に変更する（ステップＳ５１０）。
【０１３７】
また、印鑑登録装置５へ、依頼されたデータベース更新処理の応答を送信する（ステップＳ５１１）。
【０１３８】
以上、本発明を一実施の形態により説明したが、本発明はその主旨の範囲において種々の変形が可能である。
【０１３９】
例えば、本発明の実施の形態として、勘定系ホスト１に接続される勘定処理装置３が、金融機関のオペレータが専用で使用する営業店の処理端末である場合の処理例を説明した。しかし、勘定処理装置３は、エンドユーザである顧客が操作するＡＴＭ（自動入出金機）、テレフォンバンキング（テレバンサーバ）、インターネットバンキング（Ｗｅｂサーバ・ゲートウェイ）など、勘定系ホスト１とデータ通信可能な処理装置であってもよい。
【０１４０】
本発明の形態および実施例の特徴を列記すると以下のとおりである。
【０１４１】
（付記１）  金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理方法であって、
前記勘定系システムにおいて、
前記口座情報のうち印鑑に関する情報が更新された場合に、前記口座情報に前記印鑑の登録状態を示す印鑑処理ステータスを設定し、
前記印鑑処理ステータスを前記印鑑管理システムに通知し、
前記印鑑管理システムにおいて、
前記勘定系システムから通知された前記印鑑処理ステータスをもとに該当する印鑑情報の印鑑処理ステータスを設定し、
印鑑情報のうち印鑑の印影イメージが更新された場合に、前記印鑑情報の印鑑処理ステータスを更新し、
前記印鑑処理ステータスを前記勘定系システムに通知し、
前記勘定系システムにおいて、
前記印鑑管理システムから通知された前記印鑑処理ステータスをもとに該当する口座情報の印鑑処理ステータスを更新する
ことを特徴とする印鑑管理処理方法。
【０１４２】
（付記２）  金融取引の口座に関する口座情報を口座元帳により管理する勘定系システムおよび口座確認用の印鑑に関する印影イメージを含む印鑑情報を管理する印鑑管理システムを備えて前記口座を管理する場合に、前記勘定系システムと前記印鑑管理システムとの間で前記印鑑の登録状態に関する情報を連携させて印鑑を管理する印鑑管理システムであって、
前記勘定系システムは、
前記口座情報のうち印鑑に関する情報が更新された場合に、前記口座情報に前記印鑑の登録状態を示す印鑑処理ステータスを設定する印鑑処理ステータス設定手段と、
前記印鑑処理ステータスを前記印鑑管理システムに通知する印鑑管理システム連携手段と、
前記印鑑管理システムから通知された印鑑処理ステータスをもとに該当する口座情報の印鑑処理ステータスを更新する印鑑処理ステータス更新手段とを備え、
前記印鑑管理システムは、
前記勘定系システムから通知された印鑑処理ステータスをもとに該当する印鑑情報の印鑑処理ステータスを設定する印鑑処理ステータス設定手段と、
印鑑情報のうち印鑑の印影イメージが更新された場合に、前記印鑑情報の印鑑処理ステータスを更新する印鑑処理ステータス更新手段と、
更新された前記印鑑処理ステータスを前記勘定系システムに通知する勘定系システム連携手段とを備える
ことを特徴とする印鑑管理システム。
【０１４３】
（付記３）  金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理を、前記勘定系システムのコンピュータに実行させるためのプログラムであって、
前記口座情報のうち印鑑に関する情報が更新された場合に、前記口座情報に前記印鑑の登録状態を示す印鑑処理ステータスを設定する処理と、
設定された前記印鑑処理ステータスを前記印鑑管理システムに通知する処理と、
前記印鑑管理システムから通知された印鑑処理ステータスをもとに該当する口座情報の印鑑処理ステータスを更新する処理とを、
前記勘定系システムのコンピュータに実行させるための
勘定系システム用印鑑管理プログラム。
【０１４４】
（付記４）  金融取引の口座に関する口座情報を口座元帳により管理する勘定系システムおよび口座確認用の印鑑に関する印影イメージを含む印鑑情報を管理する印鑑管理システムを用いて前記口座を管理する場合に、前記勘定系システムと前記印鑑管理システムとの間で前記印鑑の登録状態に関する情報を連携させて印鑑を管理する印鑑管理処理を、前記印鑑管理システムのコンピュータに実行させるためのプログラムであって、
前記勘定系システムから通知された印鑑の登録状態を示す印鑑処理ステータスをもとに、該当する印鑑情報の印鑑処理ステータスを設定する処理と、
印鑑情報のうち印鑑の印影イメージが更新された場合に、前記印鑑情報の印鑑処理ステータスを更新する処理と、
更新された前記印鑑処理ステータスを前記勘定系システムに通知する処理とを、
前記印鑑管理システムのコンピュータに実行させるための
印鑑管理システム用印鑑管理プログラム。
【０１４５】
【発明の効果】
以上説明したように、本発明によれば、口座に関する口座情報を管理する勘定系システムおよび印鑑に関する印鑑情報を印鑑管理システムを用いて口座を管理する場合に、一方のシステムでの印鑑の登録状態（印鑑処理ステータス）の変更を直ちに他方のシステムへ通知し、両システムの印鑑処理ステータスを合致させることができる。
【０１４６】
したがって、印鑑管理システムに記憶されている印鑑処理ステータスを検索して未処理のままの状態となっている口座・印鑑を抽出できるため、両システムでの情報の整合性をとるための作業に生じうる忘却リスクを軽減することができる。
【０１４７】
さらに、本発明によれば、両システムのいずれの側においても印鑑処理ステータスを確認することができるため、両システムで情報の整合性をとるための実際の作業完了までの時間差により生じうるタイムラグリスクを軽減することができる。
【０１４８】
よって、金融機関において、口座の開設時に口座を確認する手段として登録される印鑑管理を確実かつ洩れなく行うように、支援することができる。
【０１４９】
また、従来、両システムの整合性は、担当者が手作業で記録行為により管理していたが、本発明によれば、いずれか一方での印鑑の登録状態（印鑑処理ステータス）の変更は他方のシステムへ自動的に通知される。
【０１５０】
これにより、両システムの情報の整合性をとる作業を自動システム化することが可能となり、印鑑の管理をより省力化かつ堅確化することができる。
【図面の簡単な説明】
【図１】本発明の動作原理を説明するための図である。
【図２】本発明の実施の一形態において、本発明を実現するシステムの構成例および処理の流れの概要を示す図である。
【図３】口座元帳レコードの例を示す図である。
【図４】印鑑レコードの例を示す図である。
【図５】口座元帳管理プログラムの処理例を示す図である。
【図６】印鑑サーバ連携プログラムの処理例を示す図である。
【図７】ホスト連携プログラムの処理例を示す図である。
【図８】印鑑データベース管理プログラムの処理例（その１）を示す図である。
【図９】印鑑データベース管理プログラムの処理例（その２）を示す図である。
【符号の説明】
１  勘定系ホスト（コンピュータ）
１１  口座元帳
１２  口座元帳管理プログラム
１３  印鑑サーバ連携プログラム
１５  通信プログラム
２  印鑑サーバ（コンピュータ）
２１  印鑑データベース
２２  印鑑データベース（ＤＢ）管理プログラム
２３  ホスト連携プログラム
２５  通信プログラム
３  勘定処理装置
４  印鑑表示装置
５  印鑑登録装置
６１  口座元帳レコード
６２  印鑑レコード
【図１】
2004302794.tif 000003
【図２】
2004302794.tif 000004
【図３】
2004302794.tif 000005
【図４】
2004302794.tif 000006
【図５】
2004302794.tif 000007
【図６】
2004302794.tif 000008
【図７】
2004302794.tif 000009
【図８】
2004302794.tif 000010
【図９】
2004302794.tif 000011